(57)【特許請求の範囲】
【請求項１】
非シールド線の先端から前記非シールド線の長手方向に沿って所定の長さ離隔した位置に非シールド線に設けられた中間フェルールと、
前記中間フェルールに取り付けることができるコネクタ本体と、
前記コネクタ本体と着脱可能に取り付けられるホルダと、を備え、
前記コネクタ本体は係合部を有し、
前記中間フェルールは前記係合部と係合可能に設けられた被係合部を有し、
前記非シールド線に周方向の力が加えられたときに、前記被係合部は前記係合部によって係止され、
前記中間フェルールは、前記ホルダと前記コネクタ本体とによって係止されるコネクタ。
【請求項２】
前記非シールド線の複数本が挿通され、かつ、前記コネクタ本体に取り付けられることができる導電性のシールド部材と、
前記シールド部材に挿通された複数本の前記非シールド線を包囲し、かつ、前記シールド部材と電気的に接続される編組線と、をさらに備え、
前記編組線は、前記シールド部材を介して接地されることができる請求項１に記載のコネクタ。
【請求項３】
前記中間フェルールは、筒部と鍔部とを有し、
前記筒部を押圧することによって、前記中間フェルールを前記非シールド線に取り付け、
前記鍔部は、前記ホルダと前記コネクタ本体とによって係止され、
前記鍔部は、前記係合部と係合可能な前記被係合部を有する請求項１に記載のコネクタ。
【請求項４】
前記非シールド線に挿通されるケーブル保持部材をさらに備え、
前記中間フェルールは、前記ホルダと前記コネクタ本体と前記ケーブル保持部材とによって係止される請求項１に記載のコネクタ。
【請求項５】
前記係合部の前記非シールド線の長手方向に沿った長さは、前記被係合部の前記非シールド線の長手方向に沿った長さよりも長い請求項２ないし４のいずれかに記載のコネクタ。
【請求項６】
前記非シールド線の端部に設けられた端子をさらに備え、
前記コネクタ本体は、前記中間フェルールを収納でき、かつ、前記非シールド線を挿通できる貫通孔を有し、
前記貫通孔の径方向の大きさは、前記中間フェルール及び前記端子の幅よりも大きい請求項１に記載のコネクタ。
【発明の詳細な説明】
【技術分野】
【０００１】
本発明はコネクタに関し、詳しくは、自動車等の車両に搭載される電子機器や制御機器等の配線に用いられるシールドコネクタに関する。特に、編組線を備えない非シールド電線を用いたシールドコネクタに関する。
【背景技術】
【０００２】
従来からシールドコネクタには同軸ケーブルが用いられてきた。一般に、同軸ケーブルは、最も内側の導電線からなる芯線と、芯線を絶縁する絶縁体と、絶縁体の周囲を包囲する外部の導電線（シールド線）と、外部の導電線を被覆する保護被覆体とからなる。具体的には、芯線を中心に、同軸状に絶縁体とシールド線と保護被覆体とが順に包囲するように構成されている。このような同軸ケーブルを用いて配線をすることで、芯線とシールド線との双方を同時に配線できるため、作業の便宜を図ることができ、同軸ケーブルは、シールドコネクタに多用されてきた（たとえば、特許文献１参照）。
【０００３】
また、シールドコネクタを取り付ける作業においては、シールドコネクタの端子の位置が十分に定めることができない場合があった。このため、端子に凸部を設けて、凸部によって相手方と係止できるシールドコネクタが考案されている。このようにすることで、シールドコネクタの端子の位置がばらつかないようにして、作業の効率化を図ることができた（たとえば、特許文献２参照）。
【先行技術文献】
【特許文献】
【０００４】
【特許文献１】特許第４５２７０１９号
【特許文献２】特許第３９０８９２４号
【発明の概要】
【発明が解決しようとする課題】
【０００５】
上述した特許文献１に開示されているように、同軸ケーブルは、芯線を中心に、同軸状に絶縁体とシールド線と保護被覆体とが順に包囲するように構成されている。特に、高電圧に対応させるためには、導電線を太くしたり、絶縁体や保護被覆体を厚くしたりする必要があり、同軸ケーブルを太くせざるを得ない。このため、同軸ケーブルの剛性が高くなることから、同軸ケーブルを湾曲させにくくなっていた。同軸ケーブルを配線する場合には、同軸ケーブルを接続するための相手方の部品の形状や、同軸ケーブルを配線するための空間の形状などの適合させるために、同軸ケーブルを湾曲させる必要がある。たとえば、車両のエンジンルームなどの空間に同軸ケーブルを配線して、バッテリやインバータに接続する場合には、エンジンルームの形状に合せて同軸ケーブルを湾曲させつつ、同軸ケーブルの端部をバッテリやインバータに接続する必要がある。このため、剛性が高い同軸ケーブルを用いた場合には、同軸ケーブルを湾曲させにくいがために、同軸ケーブルを配線する作業が煩雑になり、作業効率も低下せざるを得なかった。このような観点から、湾曲させやすく取り扱いが容易なシールドコネクタが要望されている。
【０００６】
また、車両のエンジンルームなどの各種の部品が近接して設置されているために、目視をしながら各種の作業をすることは困難になってきている。このため、近年では、端子や相手方の部材を目視することなく、各種の電線を接続できるようにコネクタを位置づけて取り付けることができるようにすることも望まれている。たとえば、近年、バッテリやインバータは小型化しており、コネクタをバッテリやインバータに取り付ける場合に、目視で位置を確認することが困難になってきており、目視しながらコネクタを取り付ける作業が煩雑になってきている。このため、このような作業は敬遠される傾向がある。したがって、相手方の部材の形状や大きさや配置に予め適合させたシールドコネクタが要望されている。
【０００７】
さらに、車両のエンジンルームなどの各種の部品は、ある程度、誤差が生じて配置されている場合も想定される。したがって、相手方の部材に誤差が生じていた場合でも、誤差を吸収してコネクタを取り付けることが望ましい。しかしながら、誤差を吸収させるために、ケーブルなどに力を加えてケーブルをある程度湾曲させてコネクタを取り付けた場合には、湾曲させたケーブルからコネクタに力が加えられた状態が続くことなり、コネクタが不適切な状態となる可能性がある。このような場合であってもコネクタを好ましい状態に維持できるものも望まれている。
【０００８】
特に、上述した特許文献２に開示されているように、端子に凸部を設けて、凸部によって相手方と係止するシールドコネクタは、シールドコネクタの端子の位置にばらつきが生じないようにできるものである。しかしながら、上述したように、車両のエンジンルームなどの各種の部品は、ある程度、誤差が生じて配置されている場合が想定される。このような場合に、誤差を吸収する必要が生ずるが、端子で相手方と係止させる場合には、誤差を吸収させにくくなるとともに、コネクタに力が加えられた状態が続くことにもなり、コネクタが不適切な状態になる可能性が生ずる。
【０００９】
さらにまた、上述したように、同軸ケーブルを用いた従来のコネクタはシールド線を有する。このシールド線を相手方に接続することによって、電気的な接続を形成するだけでなく、シールド線によって同軸ケーブルを支持することにより同軸ケーブルを相手方の部材に保持させることも可能であった。特に、シールド線によって同軸ケーブルが周方向に回転しないように相手方の部材に保持させることが可能であった。しかしながら、非シールドケーブルなどシールド線を有しない構成とした場合には、シールド線を相手方の部材に保持させることが困難なため、周方向に回転する可能性も生ずる。
【課題を解決するための手段】
【００１０】
本発明は、上述の点に鑑みてなされたものであり、その目的とするところは、取り扱いが容易なシールドコネクタを提供することにある。
【００１１】
本発明の実施の形態に係る特徴は、
非シールド線の先端から前記非シールド線の長手方向に沿って所定の長さ離隔した位置に非シールド線に設けられた中間フェルールと、
前記中間フェルールに取り付けることができるコネクタ本体と、
前記コネクタ本体と着脱可能に取り付けられるホルダと、を備え、
前記コネクタ本体は係合部を有し、
前記中間フェルールは前記係合部と係合可能に設けられた被係合部を有し、
前記非シールド線に周方向の力が加えられたときに、前記被係合部は前記係合部によって係止され、
前記中間フェルールは、前記ホルダと前記コネクタ本体とによって係止されることである。
【００１２】
非シールド線に周方向の力が加えられたときに、係合部は被係合部によって係止されるので、非シールド線に周方向の力が加えられた場合でも、非シールド線が回転することを防止でき、コネクタの取り付け作業や配線などの作業を容易にかつ効率よくできる。
【００１３】
また、非シールド線の先端は、非シールド線の長手方向に沿って所定の長さだけ中間フェルールから離隔した位置であるので、非シールド線の先端を容易に変更でき、相手方の部材が位置がずれていた場合でもコネクタの取り付け作業や配線などの作業を容易にかつ効率よくできる。
【００１４】
また、本発明の実施の形態に係る特徴は、上記に加え、
前記非シールド線の複数本が挿通され、かつ、前記コネクタ本体に取り付けられることができる導電性のシールド部材と、
前記シールド部材に挿通された複数本の前記非シールド線を包囲し、かつ、前記シールド部材と電気的に接続される編組線と、をさらに備え、
前記編組線は、前記シールド部材を介して接地されることができることである。
【００１６】
さらに、本発明の実施の形態に係る特徴は、上記に加え、
前記中間フェルールは、筒部と鍔部とを有し、
前記筒部を押圧することによって、前記中間フェルールを前記非シールド線に取り付け、
前記鍔部は、前記ホルダと前記コネクタ本体とによって係止され、
前記鍔部は、前記係合部と係合可能な前記被係合部を有することである。
【００１８】
さらにまた、本発明の実施の形態に係る特徴は、上記に加え、
前記非シールド線に挿通されるケーブル保持部材をさらに備え、
前記中間フェルールは、前記ホルダと前記コネクタ本体と前記ケーブル保持部材とによって係止されることである。
【００２０】
また、本発明の実施の形態に係る特徴は、上記に加え、
前記係合部の前記非シールド線の長手方向に沿った長さは、前記被係合部の前記非シールド線の長手方向に沿った長さよりも長いことである。
【００２１】
非シールド線の長手方向に沿った力が非シールド線に加えられて、係合部が移動した場合でも、係合部と被係合部との係合状態を維持することができる。
【００２２】
さらに、本発明の実施の形態に係る特徴は、上記に加え、
前記非シールド線の端部に設けられた端子をさらに備え、
前記コネクタ本体は、前記中間フェルールを収納でき、かつ、前記非シールド線を挿通できる貫通孔を有し、
前記貫通孔の径方向の大きさは、前記中間フェルール及び前記端子の幅よりも大きいことである。
【００２３】
貫通孔の径方向の大きさは、中間フェルール及び端子の幅よりも大きいので、中間フェルールと端子とを非シールド線に予め取り付けた状態で、中間フェルールと端子とと非シールド線とを貫通孔に通すことができ、コネクタを容易に組み立てることができる。
【発明の効果】
【００２４】
取り扱いが容易なシールドコネクタを提供できる。
【図面の簡単な説明】
【００２５】
【図１】第１の実施の形態によるシールドコネクタの概略を示す斜視図である。
【図２】第１の実施の形態によるシールドコネクタを構成する部品の概略を示す分解斜視図である。
【図３】第１の実施の形態によるフェルールを示す斜視図（ａ）と、フェルールを非シールドケーブルに取り付けた状態を示す斜視図（ｂ）とである。
【図４】第１の実施の形態によるフェルールとコネクタ本体とが係合した状態を示す斜視図である。
【図５】第１の実施の形態によるフェルールとコネクタ本体とが係合した状態を示す正面図である。
【図６】第１の実施の形態によるフェルールとコネクタ本体とが係合した状態を示す断面図である。
【図７】第１の実施の形態によるシールドコネクタの組み立ての過程を示す斜視図である。
【図８】第１の実施の形態によるフェルールがコネクタ本体に取り付けられた状態を示す断面図である。
【図９】第２の実施の形態によるフェルールを示す斜視図である。
【図１０】第２の実施の形態によるフェルールとコネクタ本体とが係合した状態を示す斜視図である。
【図１１】第２の実施の形態によるフェルールとコネクタ本体とが係合した状態を示す正面図である。
【図１２】第２の実施の形態によるフェルールとコネクタ本体とが係合した状態を示す断面図である。
【発明を実施するための形態】
【００２６】
以下に、実施の形態について図面に基づいて説明する。
【００２７】
＜＜＜＜第１の実施の形態＞＞＞＞
＜＜＜シールドコネクタ１０の構造＞＞＞
図１に、第１の実施の形態によるシールドコネクタ１０の構成を示す斜視図である。図２は、第１の実施の形態によるシールドコネクタ１０を構成する部品の概略を示す分解斜視図である。シールドコネクタ１０において、端子２２０が配置される側（図１の手前側）を端子側Ａと称する。非シールド電線２０ａ及び２０ｂが延設される側を電線側Ｂ（図１の奥行き側）と称する。
【００２８】
シールドコネクタ１０は、非シールド電線２０ａの端部に電気的に接続されている端子２２０ａと、非シールド電線２０ｂの端部に電気的に接続されている端子２２０ｂとを、それぞれ、相手方の部材の接続部（図示せず）などに電気的に接続して、相手方の部材に給電などをするために用いるコネクタである。
【００２９】
＜＜非シールド電線２０ａ及び２０ｂ＞＞
図１に示すように、非シールド電線２０ａ及び２０ｂは、導電線からなる芯線２２ａ及び２２ｂと、芯線２２ａ及び２２ｂを被覆する非導電性を有する被覆体とからなる。被覆体は、たとえば、絶縁性の樹脂などによって構成される。このように、非シールド電線２０ａ及び２０ｂは、芯線と被覆体とからなり、芯線から絶縁されたシールド線（編組線）を含まない。したがって、非シールド電線２０ａ及び２０ｂは、いわゆる同軸ケーブルとは異なるケーブルである。同軸ケーブルは、一般に、最も内側の導電線からなる芯線と、芯線を絶縁する絶縁体と、絶縁体の周囲を包囲する導電線（シールド線）と、導電線（シールド線）を被覆する保護被覆体とからなる。これに対して、本実施の形態における非シールド電線２０ａ及び２０ｂは、芯線２２ａ及び２２ｂと、芯線２２ａ及び２２ｂを被覆する非導電性を有する被覆体とからなるケーブルであり、導電線（シールド線）と、導電線（シールド線）と芯線２２ａ及び２２ｂとを絶縁する絶縁体とが存在しないケーブルである。
【００３０】
上述したように、本実施の形態における非シールド電線２０ａ及び２０ｂは、芯線２２ａ及び２２ｂと被覆体とからなるケーブルである。このように、非シールド電線２０ａ及び２０ｂは、絶縁体やシールド線がないので、ケーブル全体を細くすることができる。ケーブル全体を細くすることにより、可撓性を高めることができので、撓ませ易くでき、相手方の部材の形状に適合させたり、狭い空間に配線したりすることを容易にでき、非シールド電線２０ａ及び２０ｂの取り扱いの便宜を図ることができ、作業の効率を高めることができる。
【００３１】
以下では、非シールド電線２０ａ及び２０ｂを特に区別する必要がない場合には、単に非シールド電線２０と称する。
【００３２】
＜＜コネクタ本体１００＞＞
図１、図２及び図７に示すように、コネクタ本体１００は、主に、非シールド電線２０ａに取り付けられた中間フェルール１８０ａ及びケーブル保持部材１５０ａと、非シールド電線２０ｂに取り付けられたフェルール１８０ｂ及びケーブル保持部材１５０ｂとを収容する。
【００３３】
コネクタ本体１００には、略円筒形の２つの貫通孔１０２ａ及び１０２ｂが形成されている。貫通孔１０２ａには、非シールド電線２０ａが挿通される。貫通孔１０２ｂには、非シールド電線２０ｂが挿通される。
【００３４】
貫通孔１０２ａは、直径が非シールド電線２０ａの直径と、端子２２０ａの幅と、リテイナ１３０ａの直径と、ケーブル保持部材１５０ａの直径と、中間フェルール１８０ａの幅とよりも大きくなるように形成されている。このようにすることで、非シールド電線２０ａの先端に端子２２０ａを取り付け、リテイナ１３０ａとケーブル保持部材１５０ａとを非シールド電線２０ａに挿通させた状態で、非シールド電線２０ａ及び端子２２０ａを貫通孔１０２ａに挿通させることができる。同様に、貫通孔１０２ｂは、直径が非シールド電線２０ｂの直径と、端子２２０ｂの幅と、リテイナ１３０ｂの直径と、ケーブル保持部材１５０ｂの直径と、中間フェルール１８０ｂの幅とよりも大きくなるように形成されている。このようにすることで、非シールド電線２０ｂの先端に端子２２０ｂを取り付け、リテイナ１３０ｂとケーブル保持部材１５０ｂとを非シールド電線２０ｂに挿通させた状態で、非シールド電線２０ｂ及び端子２２０ｂを貫通孔１０２ｂに挿通させることができる。
【００３５】
コネクタ本体１００は、一体形成部１０４と２つの別体形成部１０６ａ及び１０６ｂとを有する。一体形成部１０４においては、２つの貫通孔１０２ａ及び１０２ｂの外周面が一体的に形成されている。一体形成部１０４の断面は、略長円形状を有する。別体形成部１０６ａにおいては、貫通孔１０２ａの外周面が形成され、別体形成部１０６ｂにおいては、貫通孔１０２ｂの外周面が形成されており、別体形成部１０６ａ及び１０６ｂは別個に形成されている。
【００３６】
コネクタ本体１００において、一体形成部１０４と別体形成部１０６ａ及び１０６ｂとは連結して形成されている。貫通孔１０２ａは、一体形成部１０４と別体形成部１０６ａとに亘って連通するように形成され、略円筒形状を有する。貫通孔１０２ｂも、一体形成部１０４と別体形成部１０６ｂとに亘って連通するように形成され、略円筒形状を有する。
【００３７】
一体形成部１０４の外周には、一体形成部１０４の外周面を周回するように係止用リブ１０８が形成されている。係止用リブ１０８は、後述するコネクタ封止部材１６０やシールド部材２００を係止する。係止用リブ１０８によって、コネクタ封止部材１６０が非シールド電線２０ａの長手方向（軸方向）に沿って移動することを防止できる。係止用リブ１０８によって、シールド部材２００が非シールド電線２０ａの長手方向（軸方向）に沿って移動すること防止できる。
【００３８】
貫通孔１０２ａには、後述する中間フェルール１８０ａ及びケーブル保持部材１５０ａが収容される。貫通孔１０２ｂには、後述する中間フェルール１８０ｂ及びケーブル保持部材１５０ｂが収容される。
【００３９】
＜＜係合凸部１１０ａ及び１１０ｂ＞＞
第１の実施の形態によるシールドコネクタ１０のコネクタ本体１００の貫通孔１０２ａには、内側壁面１１２ａが形成されている。また、コネクタ本体１００の貫通孔１０２ｂにも、内側壁面１１２ｂが形成されている。
【００４０】
図４、図５及び図６に示すように、内側壁面１１２ａには、貫通孔１０２ａ（非シールド電線２０ａ）の長手方向に沿って長尺な形状の係合凸部１１０ａが形成されている。内側壁面１１２ｂには、貫通孔１０２ｂ（非シールド電線２０ｂ）の長手方向に沿って長尺な形状の係合凸部１１０ｂが形成されている。
【００４１】
係合凸部１１０ａは、貫通孔１０２ａ（非シールド電線２０ａ）の直径方向に沿って内側壁面１１２ａから貫通孔１０２ａ（非シールド電線２０ａ）の中心に向かって膨らむように形成されている。具体的には、係合凸部１１０ａは、内側壁面１１２ａにおいて略平面状に形成されている。係合凸部１１０ａは、中間フェルール１８０ａの係合凹部１８８ａと係合する。係合凸部１１０ａと係合凹部１８８ａとが係合できるようにしたことで、非シールド電線２０ａが周方向に回転する力が加えられた場合であっても、係合凸部１１０ａによって係合凹部１８８ａが係止されるので、中間フェルール１８０ａがコネクタ本体１００に対して回転することを防止できる。
【００４２】
同様に、係合凸部１１０ｂは、貫通孔１０２ｂ（非シールド電線２０ｂ）の直径方向に沿って内側壁面１１２ｂから貫通孔１０２ｂ（非シールド電線２０ｂ）の中心に向かって膨らむように形成されている。具体的には、係合凸部１１０ｂは、内側壁面１１２ｂにおいて略平面状に形成されている。係合凸部１１０ｂは、中間フェルール１８０ｂの係合凹部１８８ｂと係合する。係合凸部１１０ｂと係合凹部１８８ｂとが係合できるようにしたことで、非シールド電線２０ｂが周方向に回転する力が加えられた場合であっても、係合凸部１１０ｂによって係合凹部１８８ｂが係止されるので、中間フェルール１８０ｂがコネクタ本体１００に対して回転することを防止できる。
【００４３】
係合凸部１１０ａ及び１１０ｂは，非シールド電線２０ａ及び２０ｂに沿った長尺な形状を有する。したがって、貫通孔１０２ａ（非シールド電線２０ａ）の長手方向に沿って係合凸部１１０ａが延在する。同様に、貫通孔１０２ｂ（非シールド電線２０ｂ）の長手方向に沿って係合凸部１１０ｂが延在する。後述するように、係合凸部１１０ａは、中間フェルール１８０ａの係合凹部１８８ａと係合する。同様に、係合凸部１１０ｂは、中間フェルール１８０ｂの係合凹部１８８ｂと係合する。
【００４４】
図６に示すように、中間フェルール１８０ａを挿入する側の係合凸部１１０ａの端部には、面取り部１１１ａが形成されている。面取り部１１１ａを形成したことにより、中間フェルール１８０ａの係合凹部１８８ａを円滑に係合凸部１１０ａに係合させることができる。同様に、中間フェルール１８０ｂを挿入する側の係合凸部１１０ｂの端部には、面取り部１１１ｂが形成されている。面取り部１１１ｂを形成したことにより、中間フェルール１８０ｂの係合凹部１８８ｂを円滑に係合凸部１１０ｂに係合させることができる。
【００４５】
また、図６に示すように、貫通孔１０２ａ（非シールド電線２０ａ）の長手方向に沿った係合凸部１１０ａの長さは、貫通孔１０２ａ（非シールド電線２０ａ）の長手方向に沿った係合凹部１８８ａの長さよりも長くなるように形成されている。このようにしたことにより、中間フェルール１８０ａに力が加わり、中間フェルール１８０ａが変位した場合であっても、係合凹部１８８ａが係合凸部１１０ａから外れることはなく、係合凸部１１０ａと係合凹部１８８ａとが係合した状態を維持することができる。
【００４６】
同様に、貫通孔１０２ｂ（非シールド電線２０ｂ）の長手方向に沿った係合凸部１１０ｂの長さは、貫通孔１０２ｂ（非シールド電線２０ｂ）の長手方向に沿った係合凹部１８８ｂの長さよりも長くなるように形成されている。このようにしたことにより、中間フェルール１８０ｂに力が加わり、中間フェルール１８０ｂが変位した場合であっても、係合凹部１８８ｂが係合凸部１１０ｂから外れることはなく、係合凸部１１０ｂと係合凹部１８８ｂとが係合した状態を維持することができる。
【００４７】
＜係止孔１１４ａ及び１１４ｂ＞
図２に示すように、別体形成部１０６ａの電線側Ｂの端部には、２つの係止孔１１４ａが形成されている。２つの係止孔１１４ａは、別体形成部１０６ａにおいて貫通孔１０２ａの直径方向に沿って互いに向かい合うように形成されている。別体形成部１０６ｂの電線側Ｂの端部には、２つの係止孔１１４ｂが形成されている。２つの係止孔１１４ｂは、別体形成部１０６ｂにおいて、貫通孔１０２ｂの直径方向に沿って互いに向かい合うように形成されている。
【００４８】
リテイナ１３０ａには２つの係止突起１３２ａが形成されている。２つの係止突起１３２ａは、リテイナ１３０ａの外周面において直径方向に沿って互いに離隔する方向に形成されている。係止孔１１４ａにリテイナ１３０ａの係止突起１３２ａを挿入することで、リテイナ１３０ａをコネクタ本体１００に着脱可能に取り付けることができる。
【００４９】
リテイナ１３０ｂには２つの係止突起１３２ｂが形成されている。２つの係止突起１３２ｂは、リテイナ１３０ｂの外周面において直径方向に沿って互いに離隔する方向に形成されている。係止孔１１４ｂにリテイナ１３０ｂの係止突起１３２ｂを挿入することで、リテイナ１３０ｂをコネクタ本体１００に着脱可能に取り付けることができる。
【００５０】
＜係止孔１１６ａ及び１１６ｂ＞
図２に示すように、一体形成部１０４の電線側Ｂの端部には、２つの係止孔１１６ａ及び２つの１１６ｂが形成されている。２つの係止孔１１６ａは、一体形成部１０４の貫通孔１０２ａの直径方向に沿って互いに向かい合うように形成されている。２つの係止孔１１６ｂは、一体形成部１０４の貫通孔１０２ｂの直径方向に沿って互いに向かい合うように形成されている。
【００５１】
ホルダ１４０には２つの係止突起１４２ａ及び２つの１４２ｂが形成されている。２つの係止突起１４２ａは、ホルダ１４０において貫通孔１４４ａの直径方向に沿って互いに離隔する方向に形成されている。２つの係止突起１４２ｂは、ホルダ１４０において貫通孔１４４ｂの直径方向に沿って互いに離隔する方向に形成されている。係止突起１４２ａの各々を係止孔１１６ａに挿入し、係止突起１４２ｂの各々を係止孔１１６ｂに挿入することで、ホルダ１４０をコネクタ本体１００に着脱可能に取り付けることができる。
【００５２】
＜＜リテイナ１３０ａ及び１３０ｂ＞＞
図２に示すように、リテイナ１３０ａ及び１３０ｂは、略円筒状の形状を有する。リテイナ１３０ａ及び１３０ｂは、樹脂によって成型されている。
【００５３】
リテイナ１３０ａには貫通孔１３４ａが形成されている。リテイナ１３０ａの貫通孔１３４ａには非シールド電線２０ａが挿通される。リテイナ１３０ｂには貫通孔１３４ｂが形成されている。リテイナ１３０ｂの貫通孔１３４ｂには非シールド電線２０ｂが挿通される。
【００５４】
リテイナ１３０ａの外周面には、２つの係止突起１３２ａが形成されている。２つの係止突起１３２ａは、リテイナ１３０ａの外周面において直径方向に沿って互いに離隔する方向に外側に向かって突出するように形成されている。リテイナ１３０ｂの外周面には、２つの係止突起１３２ｂが形成されている。２つの係止突起１３２ｂは、リテイナ１３０ｂの外周面において直径方向に沿って互いに離隔する方向に外側に向かって突出するように形成されている。
【００５５】
＜＜ケーブル保持部材１５０ａ及び１５０ｂ＞＞
図２に示すように、ケーブル保持部材１５０ａ及び１５０ｂは、略円筒状の形状を有する。ケーブル保持部材１５０ａには貫通孔１５２ａが形成されている。ケーブル保持部材１５０ａの貫通孔１５２ａには非シールド電線２０ａが挿通される。ケーブル保持部材１５０ｂには貫通孔１５２ｂが形成されている。ケーブル保持部材１５０ｂの貫通孔１５２ｂには非シールド電線２０ｂが挿通される。ケーブル保持部材１５０ａ及び１５０ｂは、樹脂によって成型されている。
【００５６】
ケーブル保持部材１５０ａ及び１５０ｂは、防水部材として機能する。シールドコネクタ１０が設置される環境によっては、雨水などの液体が非シールド電線２０ａ及び２０ｂに降りかかる場合も想定される。ケーブル保持部材１５０ａを非シールド電線２０ａに設け、ケーブル保持部材１５０ｂを非シールド電線２０ｂに設けたことにより、雨水などの液体が非シールド電線２０ａや２０ｂを伝ってコネクタ本体１００の内部に侵入することを未然に防止でき、コネクタ本体１００の内部を好ましい状態に保つことができる。
【００５７】
＜＜コネクタ封止部材１６０＞＞
図２に示すように、コネクタ封止部材１６０は、断面が略長円状の略円筒状の形状を有する。コネクタ封止部材１６０は、樹脂によって成型されている。コネクタ封止部材１６０の内面は、コネクタ本体１００の一体形成部１０４の外面よりも若干大きく形成されており、コネクタ本体１００の一体形成部１０４の外面にコネクタ封止部材１６０を挿嵌することができる。
【００５８】
コネクタ封止部材１６０は、防水部材として機能する。シールドコネクタ１０が設置される環境によっては、雨水などの液体がコネクタ本体１００に降りかかる場合も想定される。コネクタ封止部材１６０をコネクタ本体１００に設けたことにより、雨水などの液体がコネクタ本体１００の外面からコネクタ本体１００の内部に侵入することを未然に防止でき、コネクタ本体１００の内部を好ましい状態に保つことができる。
【００５９】
＜＜ホルダ１４０＞＞
図２に示すように、ホルダ１４０は、断面が略長円状の略板状の形状を有する。ホルダ１４０は、樹脂によって成型されている。ホルダ１４０は、２つの貫通孔１４４ａ及び１４４ｂが形成されている。貫通孔１４４ａには、非シールド電線２０ａが挿通される。貫通孔１４４ｂには、非シールド電線２０ｂが挿通される。
【００６０】
貫通孔１４４ａは、直径が非シールド電線２０ａの直径及び端子２２０ａの幅よりも大きくなるように形成されている。このようにすることで、非シールド電線２０ａの先端に端子２２０ａを取り付けた状態で、非シールド電線２０ａ及び端子２２０ａを貫通孔１４４ａに挿通させることができる。同様に、貫通孔１４４ｂは、直径が非シールド電線２０ｂの直径及び端子２２０ｂの幅よりも大きくなるように形成されている。このようにすることで、非シールド電線２０ｂの先端に端子２２０ｂを取り付けた状態で、非シールド電線２０ｂ及び端子２２０ｂを貫通孔１４４ｂに挿通させることができる。
【００６１】
ホルダ１４０には２つの係止突起１４２ａ及び１４２ｂが形成されている。２つの係止突起１４２ａは、ホルダ１４０において貫通孔１４４ａの直径方向に沿って互いに離隔する方向に形成されている。２つの係止突起１４２ｂは、ホルダ１４０において貫通孔１４４ｂの直径方向に沿って互いに離隔する方向に形成されている。ホルダ１４０の２つの係止突起１４２ａの各々をコネクタ本体１００の係止孔１１６ａに挿入し、ホルダ１４０の２つの係止突起１４２ｂをコネクタ本体１００の係止孔１１６ｂに挿入することで、ホルダ１４０をコネクタ本体１００に着脱可能に取り付けることができる。このようにすることで、コネクタ本体１００の端子側Ａからホルダ１４０をコネクタ本体１００に着脱可能に取り付けることができる。
【００６２】
ホルダ１４０がコネクタ本体１００に取り付けられたときには、ホルダ１４０は、コネクタ封止部材１６０をコネクタ本体１００の係止用リブ１０８に向かって押圧する。コネクタ封止部材１６０は、コネクタ本体１００の一体形成部１０４の外周において、ホルダ１４０とコネクタ本体１００の係止用リブ１０８とによって挟持される。
【００６３】
ホルダ１４０には、押圧部１４６ａ及び１４６ｂが形成されている。押圧部１４６ａは、貫通孔１４４ａの略円筒状の壁面の端部である。押圧部１４６ｂは、貫通孔１４４ｂの略円筒状の壁面の端部である。押圧部１４６ａ及び１４６ｂは、コネクタ本体１００に向かって突出するように形成されている。ホルダ１４０がコネクタ本体１００に取り付けられたときには、押圧部１４６ａは、コネクタ本体１００に収容された中間フェルール１８０ａを押圧する。ホルダ１４０がコネクタ本体１００に取り付けられたときには、押圧部１４６ｂは、コネクタ本体１００に収容された中間フェルール１８０ｂを押圧する。
【００６４】
＜＜中間フェルール１８０ａ及び１８０ｂ＞＞
図３（ａ）は、第１の実施の形態によるシールドコネクタ１０の中間フェルール１８０ａ及び１８０ｂを示す斜視図である。中間フェルール１８０ａ及び１８０ｂは同一の形状を有する。
【００６５】
中間フェルール１８０ａは、略円筒形状の円筒部１８４ａと、円筒部１８４の端部に形成された鍔部１８６ａとからなる。同様に、中間フェルール１８０ｂは、略円筒形状の円筒部１８４ｂと、円筒部１８ｂの端部に形成された鍔部１８６ｂとからなる。中間フェルール１８０ａには、貫通孔１８２ａが形成されている。中間フェルール１８０ｂには、貫通孔１８２ｂが形成されている。
【００６６】
図３（ｂ）は、第１の実施の形態によるシールドコネクタ１０の中間フェルール１８０ａ及び１８０ｂを非シールド電線２０ａ及び２０ｂに取り付けられた状態を示す斜視図である。図３（ｂ）に示すように、中間フェルール１８０ａは、非シールド電線２０ａに取り付けられ、中間フェルール１８０ｂは、非シールド電線２０ｂに取り付けられる。中間フェルール１８０ａは、非シールド電線２０ａとコネクタ本体１００との間に介在して、非シールド電線２０ａをコネクタ本体１００に取り付けるための部材である。同様に、中間フェルール１８０ｂは、非シールド電線２０ｂとコネクタ本体１００との間に介在して、非シールド電線２０ｂをコネクタ本体１００に取り付けるための部材である。
【００６７】
中間フェルール１８０ａは、コネクタ本体１００に取り付けられることによって、非シールド電線２０ａの回転防止部材として機能する。中間フェルール１８０ｂは、コネクタ本体１００に取り付けられることによって、非シールド電線２０ｂの回転防止部材として機能する。
【００６８】
中間フェルール１８０ａ及び１８０ｂは、銅などの塑性変形可能な金属によって構成されている。上述したように、中間フェルール１８０ａには貫通孔１８２ａが形成されている。中間フェルール１８０ａの貫通孔１８２ａに非シールド電線２０ａを挿通することができる。非シールド電線２０ａが貫通孔１８２ａに挿通された状態で、中間フェルール１８０ａは、非シールド電線２０ａの長手方向（軸方向）の所定の位置に取り付けられている。非シールド電線２０ａが貫通孔１８２ａに挿通された状態で、中間フェルール１８０ａを非シールド電線２０ａに押圧することで、中間フェルール１８０ａを非シールド電線２０ａに取り付けることができる。
【００６９】
たとえば、中間フェルール１８０ａを非シールド電線２０に、互いに向かい合う２つの方向から中間フェルール１８０ａを押圧（圧着）したり、互いに異なる４つの方向から中間フェルール１８０ａを押圧（圧縮）したりすることで、中間フェルール１８０ａを非シールド電線２０ａに取り付けることができる。なお、中間フェルール１８０ａを非シールド電線２０ａに押圧して中間フェルール１８０ａを非シールド電線２０ａに固定的に取り付けることができればよく、押圧する方向やその数は、中間フェルール１８０ａの大きさや形状、非シールド電線２０ａの太さや材質などに応じて、適宜定めればよい。中間フェルール１８０ａを非シールド電線２０ａに固着したり固設したり固装したりすればよい。
【００７０】
図３（ｂ）に示すように、中間フェルール１８０ａを非シールド電線２０ａに押圧すると、中間フェルール１８０ａは塑性変形する。中間フェルール１８０ａを塑性変形させると、中間フェルール１８０ａの断面が多角形、略円状、略長円、略楕円などになる。断面の形状や大きさは、中間フェルール１８０ａの大きさや形状、非シールド電線２０ａの太さや材質などに応じて、適宜定めればよい。図３（ｂ）に示す例では、中間フェルール１８０ａの断面は、略八角形状である。
【００７１】
中間フェルール１８０ａを非シールド電線２０ａに取り付ける際に、絶縁状態を維持するために、芯線２２ａを保護する非導電性の被覆体を傷つけることなく押圧することが好ましい。具体的には、中間フェルール１８０ａが非シールド電線２０ａと接触する面積が大きくなるようにすることが好ましい。接触する面積を大きくすることで、中間フェルール１８０ａを非シールド電線２０ａに強固に取り付けることができるとともに、被覆体を傷つけることなく中間フェルール１８０ａを取り付けることができる。上述したように、断面の形状を多角形、略円状、略長円、略楕円などにすることで、接触する面積を大きくできる。
【００７２】
中間フェルール１８０ａを非シールド電線２０ａに押圧して取り付けることによって、中間フェルール１８０ａが、非シールド電線２０ａの長手方向に対して移動することもなく、非シールド電線２０ａの周方向に対して回転することもなく、中間フェルール１８０ａを非シールド電線２０ａに取り付けることができる。
【００７３】
同様に、中間フェルール１８０ｂも貫通孔１８２ｂが形成されており、非シールド電線２０ｂの長手方向（軸方向）の所定の位置に取り付けられる。同様に、中間フェルール１８０ｂを非シールド電線２０ｂに押圧して取り付けることによって、中間フェルール１８０ｂが、非シールド電線２０ｂの長手方向に対して移動することもなく、非シールド電線２０ｂの周方向に対して回転することもなく、中間フェルール１８０ｂを非シールド電線２０ｂに取り付けることができる。以下では、中間フェルール１８０ａ及び１８０ｂの双方を区別する必要がない場合には、単に、中間フェルール１８０と称する。
【００７４】
後述する治具を用いて、中間フェルール１８０ａを非シールド電線２０ａに取り付けることが好ましい。治具を用いることによって、非シールド電線２０ａの長手方向の所望する一定の位置に、かつ、非シールド電線２０ａの周方向の所望する一定の角度に取り付けることができる。すなわち、治具を用いて中間フェルール１８０ａを取り付けることによって、非シールド電線２０の先端（端子２２０ａ）からの非シールド電線２０に沿った距離が略一定の位置に、かつ、非シールド電線２０の周方向の一定の角度に、再現性よく、中間フェルール１８０ａを非シールド電線２０ａに取り付けることができる。
【００７５】
同様に、治具を用いて、中間フェルール１８０ｂを非シールド電線２０ｂに取り付けることが好ましい。
【００７６】
中間フェルール１８０ａの鍔部１８６ａには、係合凹部１８８ａが形成されている。係合凹部１８８ａは、貫通孔１８２ａの直径方向に沿って鍔部１８６ａの外周部から貫通孔１８２ａ（非シールド電線２０ａ）の中心に向かってへこむように形成されている。具体的には、係合凹部１８８ａは、鍔部１８６ａの外周部に略平面状に形成されている。係合凹部１８８ａには、コネクタ本体１００の係合凸部１１０ａと係合する。係合凹部１８８ａと係合凸部１１０ａとが係合できるようにしたことで、非シールド電線２０ａが周方向に回転する力が加えられた場合であっても、係合凸部１１０ａによって係合凹部１８８ａが係止されるので、中間フェルール１８０ａがコネクタ本体１００に対して回転することを防止できる。
【００７７】
上述したように、係合凸部１１０ａも係合凹部１８８ａも略平面状に形成されている。このようにしたことにより、係合凹部１８８ａが係合凸部１１０ａと係合したときに、係合凸部１１０ａと係合凹部１８８ａとが接触する面積を大きくすることができる。したがって、非シールド電線２０ａが周方向に回転する力が加えられた場合であっても、係合凸部１１０ａによって係合凹部１８８ａを的確に係止でき、加えられた力に対して十分に対抗でき、中間フェルール１８０ａがコネクタ本体１００に対して回転することを防止できる。
【００７８】
同様に、中間フェルール１８０ｂの鍔部１８６ｂには、係合凹部１８８ｂが形成されている。また、係合凸部１１０ｂも係合凹部１８８ｂも略平面状に形成されている。同様に、非シールド電線２０ｂが周方向に回転する力が加えられた場合であっても、係合凸部１１０ｂによって係合凹部１８８ｂが係止されるので、中間フェルール１８０ｂがコネクタ本体１００に対して回転することを防止できる。
【００７９】
＜＜シールド部材２００＞＞
図２に示すように、シールド部材２００は、貫通孔２０２を有し、断面が略長円状の略円筒状の形状を有する。シールドコネクタ１０を組み立てるときに、シールド部材２００の貫通孔２０２に、非シールド電線２０ａ及び２０ｂや、リテイナ１３０ａ及び１３０ｂや、ケーブル保持部材１５０ａ及び１５０ｂや、端子２２０ａ及び２２０ｂや、中間フェルール１８０ａ及び１８０ｂを挿通することができる。シールド部材２００は、コネクタ本体１００の２つの別体形成部１０６ａ及び１０６ｂの全体と、コネクタ本体１００の一体形成部１０４の係止用リブ１０８までの部分とを覆うことができる。
【００８０】
シールド部材２００は、導電性を有する金属板によって構成される。シールド部材２００には編組線（図示せず）が接続される。シールド部材２００を相手方の接地部材に接地することによって、シールド部材２００を介して編組線を接地することができる。後述するように、編組線は、非シールド電線２０ａ及び２０ｂのほぼ全体を外側から包囲する。シールド部材２００を介して編組線を接地し、非シールド電線２０ａ及び２０ｂを相手方の接続部などに接続することによって、所定の回路を構成することができる。
【００８１】
本実施の形態で用いる編組線は、導電線の束であり、導電線の密度が略均一になるように導電線を編んで構成されている。編組線には、たとえば、銅やアルミニウムなどが用いられる。編組線は、可撓性を有し、略管状の長尺な形状を有する。略管状の内側が長尺な中空に形成されており、非シールド電線２０ａ及び２０ｂを編組線の長手方向に挿通させることができる。編組線の内側に非シールド電線２０ａ及び２０ｂを挿通させることで、非シールド電線２０ａ及び２０ｂのほぼ全体を編組線によって包囲することができる。編組線の端部はシールド部材２００に電気的に接続される。シールド部材２００を接地することによって、編組線も接地し、編組線の電位をゼロにすることができる。また、非シールド電線２０ａ及び２０ｂを編組線によって包囲するとともに、編組線の端部をシールド部材２００に接続することにより、非シールド電線２０ａ及び２０ｂ及び編組線の全体に一体として取り扱うことができる。
【００８２】
編組線の中空部のおおよその内径は、非シールド電線２０ａ及び２０ｂの外形よりも大きく、非シールド電線２０ａ及び２０ｂを編組線によって包囲した状態となっても、非シールド電線２０ａ及び２０ｂと編組線との間に間隙が形成されている。すなわち、非シールド電線２０ａ及び２０ｂが、編組線の内側に遊挿された状態となる。このため、非シールド電線２０ａ及び２０ｂ及び編組線を変形させた場合でも、編組線は、非シールド電線２０ａ及び２０ｂに対して円滑に摺動することができる。このように構成したことにより、非シールド電線２０ａ及び２０ｂ及び編組線の全体の可撓性を維持することができる。したがって、非シールド電線２０ａ及び２０ｂと編組線との全体を容易に撓ませることができ、非シールド電線２０ａ及び２０ｂや編組線を接続する相手方の部材の形状やその周辺の空間に適合するように、非シールド電線２０ａ及び２０ｂと編組線との全体を容易に変形させることができ、配線などの作業を容易にかつ効率よくできる。
【００８３】
＜＜＜シールドコネクタ１０の組み立て＞＞＞
＜＜治具を用いた組み立て＞＞
上述したように、シールドコネクタ１０の組み立ては、予め用意してある治具を用いる（図示せず）。治具を用いることで、非シールド電線２０ａの長手方向（長手方向）の略一定の位置に、中間フェルール１８０ａを取り付けることができる。また、治具を用いることで、非シールド電線２０ａの外周に沿った方向（周方向）に対して、中間フェルール１８０ａが略一定の角度になるように、中間フェルール１８０ａを非シールド電線２０ａに取り付けることができる。
【００８４】
同様に、治具を用いることで、非シールド電線２０ｂの長手方向（長手方向）の略一定の位置に、中間フェルール１８０ｂを取り付けることができる。また、治具を用いることで、非シールド電線２０ｂの外周に沿った方向（周方向）に対して、中間フェルール１８０ｂが略一定の角度になるように、中間フェルール１８０ｂを非シールド電線２０ｂに取り付けることができる。
【００８５】
また、治具を用いることで、非シールド電線２０ａの外周に沿った方向（周方向）に対して端子２２０ａが略一定の角度になるように、非シールド電線２０ａの先端に端子２２０ａを取り付けることができる。同様に、治具を用いることで、非シールド電線２０ｂの外周に沿った方向（周方向）に対して端子２２０ｂが略一定の角度になるように、非シールド電線２０ｂの先端に端子２２０ｂを取り付けることができる。
【００８６】
このように、治具を用いることによって、中間フェルール１８０ａ及び１８０ｂ並びに端子２２０ａ及び２２０ｂを所望する一定の位置や一定の角度に取り付けることができる。また、治具を用いることによって、中間フェルール１８０ａ及び１８０ｂ並びに端子２２０ａ及び２２０ｂの位置や角度を測定することなく、中間フェルール１８０ａ及び１８０ｂ並びに端子２２０ａ及び２２０ｂを取り付けることができる。このように、治具を用いることで、中間フェルール１８０ａ及び端子２２０ａを非シールド電線２０ａに取り付ける作業や、中間フェルール１８０ｂ及び端子２２０ｂを非シールド電線２０ａに取り付ける作業を容易にかつ効率よくできる。
【００８７】
＜＜シールドコネクタ１０の組み立ての工程＞＞
図７に示すように、まず、リテイナ１３０ａとケーブル保持部材１５０ａとを、この順に非シールド電線２０ａに挿通させる。次いで、中間フェルール１８０ａを非シールド電線２０ａに挿通させる。なお、図７は、明確のために、電線側Ｂに位置する非シールド電線２０ａ及び２０ｂを省略して示した。また、図７は、非シールド電線２０ａに取り付けた中間フェルール１８０ａ及び端子２２０ａがコネクタ本体１００の端子側Ａ側から突出するように示した。
【００８８】
次に、上述した治具を用いて、中間フェルール１８０ａを一定の位置や一定の角度にして非シールド電線２０ａに取り付ける。位置や角度を治具によって決めた後、中間フェルール１８０ａを非シールド電線２０ａに圧着して取り付ける。
【００８９】
次に、治具を用いて端子２２０ａを一定の角度にして、非シールド電線２０ａの先端に端子２２０ａを取り付ける。角度を治具によって決めた後、端子２２０ａを非シールド電線２０ａに圧着して取り付ける。
【００９０】
非シールド電線２０ｂについても同様に処理することができる。
【００９１】
次に、中間フェルール１８０ａと端子２２０ａとを取り付けた非シールド電線２０ａと、中間フェルール１８０ｂと端子２２０ｂとを取り付けた非シールド電線２０ｂとを、シールド部材２００と、コネクタ本体１００と、コネクタ封止部材１６０と、ホルダ１４０とに、この順に挿通させる。
【００９２】
次に、非シールド電線２０ａを移動させることによって、中間フェルール１８０ａがコネクタ本体１００の貫通孔１０２ａに位置するようにするとともに、中間フェルール１８０ａに形成されている係合凹部１８８ａと、コネクタ本体１００の貫通孔１０２ａの内側壁面１１２ａに形成されている係合凸部１１０ａとが係合するように、中間フェルール１８０ａをコネクタ本体１００の貫通孔１０２ａ内で移動させる。
【００９３】
図８に示すように、コネクタ本体１００の貫通孔１０２ａにおいて、２つのランス１１８ａが、互いに向かい合うように形成されている。２つのランス１１８ａは、自由端１２０ａと固定端１２２ａとを有する。固定端１２２ａは、コネクタ本体１００の貫通孔１０２ａに接続されている。２つのランス１１８ａに力が加わったとき場合には、２つのランス１１８ａは弾性変形し、固定端１２２ａを中心にして自由端１２０ａは変位できる。
【００９４】
非シールド電線２０ａを移動させて中間フェルール１８０ａを貫通孔１０２ａ内で端子側Ａに移動させると、中間フェルール１８０ａの鍔部１８６ａは、２つのランス１１８ａと接触する。中間フェルール１８０ａが端子側Ａに移動するに従い、２つのランス１１８ａは、鍔部１８６ａとの接触により、徐々に弾性変形する。中間フェルール１８０ａが端子側Ａにさらに移動し、鍔部１８６ａが２つのランス１１８ａとの接触が解消したときには、２つのランス１１８ａは元の形状に戻り、２つのランス１１８ａの自由端１２０ａは、鍔部１８６ａを掛止することができる。２つのランス１１８ａによる掛止により、係合凹部１８８ａが、貫通孔１０２ａの長手方向の一定の位置で係合凸部１１０ａと係合する状態を維持することができる。また、２つのランス１１８ａによる掛止により、非シールド電線２０ａの長手方向に力が加えられた場合であっても、中間フェルール１８０ａがコネクタ本体１００から抜け出ることを防止できる。
【００９５】
同様に、中間フェルール１８０ｂがコネクタ本体１００の貫通孔１０２ｂに位置するようにするとともに、中間フェルール１８０ｂに形成されている係合凹部１８８ｂと、コネクタ本体１００の貫通孔１０２ｂの内側壁面１１２ｂに形成されている係合凸部１１０ｂとが係合するように、中間フェルール１８０ｂをコネクタ本体１００の貫通孔１０２ｂ内で移動させる。
【００９６】
コネクタ本体１００の貫通孔１０２ｂにおいても、２つのランス１１８ｂが形成されている。２つのランス１１８ａによって鍔部１８６ｂを掛止することにより、係合凹部１８８ｂが、貫通孔１０２ｂの長手方向の一定の位置で係合凸部１１０ｂと係合する状態を維持することができる。また、２つのランス１１８ｂによる掛止により、非シールド電線２０ｂの長手方向に力が加えられた場合であっても、中間フェルール１８０ｂがコネクタ本体１００から抜け出ることを防止できる。
【００９７】
上述したように、非シールド電線２０ａには、リテイナ１３０ａとケーブル保持部材１５０ａとが既に挿通された状態となっている。同様に、非シールド電線２０ｂには、リテイナ１３０ｂとケーブル保持部材１５０ｂとが既に挿通された状態となっている。
【００９８】
次に、リテイナ１３０ａでケーブル保持部材１５０ａをコネクタ本体１００の貫通孔１０２ａに押し込み、コネクタ本体１００の係止孔１１４ａにリテイナ１３０ａの係止突起１３２ａを挿入する。同様に、リテイナ１３０ｂでケーブル保持部材１５０ｂをコネクタ本体１００の貫通孔１０２ｂに押し込み、コネクタ本体１００の係止孔１１４ｂにリテイナ１３０ｂの係止突起１３２ｂを挿入する。
【００９９】
このように、ケーブル保持部材１５０ａをコネクタ本体１００の貫通孔１０２ａに収容して保持することができる。ケーブル保持部材１５０ｂをコネクタ本体１００の貫通孔１０２ｂに収容して保持することができる。リテイナ１３０ａはケーブル保持部材１５０ａと係合し、ケーブル保持部材１５０ａがコネクタ本体１００から外れることを防止する。リテイナ１３０ｂはケーブル保持部材１５０ｂと係合し、ケーブル保持部材１５０ｂがコネクタ本体１００から外れることを防止する。上述したように、ケーブル保持部材１５０ａ及び１５０ｂは防水部材として機能する。ケーブル保持部材１５０ａ及び１５０ｂをコネクタ本体１００に収容することによって、液体が非シールド電線２０ａや２０ｂを伝ってコネクタ本体１００の内部に侵入することを未然に防止できる。
【０１００】
次に、コネクタ封止部材１６０をコネクタ本体１００の一体形成部１０４に挿嵌し、ホルダ１４０の２つの係止突起１４２ａの各々をコネクタ本体１００の係止孔１１６ａに挿入し、ホルダ１４０の２つの係止突起１４２ｂをコネクタ本体１００の係止孔１１６ｂに挿入する。ホルダ１４０は、コネクタ封止部材１６０と係合し、コネクタ封止部材１６０がコネクタ本体１００から外れることを防止する。上述したように、コネクタ封止部材１６０は防水部材として機能する。コネクタ封止部材１６０をコネクタ本体１００に取り付けることによって、液体がコネクタ本体１００の内部に侵入することを未然に防止できる。
【０１０１】
以上の工程によって、リテイナ１３０ａがケーブル保持部材１５０ａと係合し、リテイナ１３０ｂがケーブル保持部材１５０ｂと係合するともに、ホルダ１４０がコネクタ本体１００に取り付けられた状態になる。この状態になると、コネクタ本体１００の貫通孔１０２ａ内で、リテイナ１３０ａは、ケーブル保持部材１５０ａを介して中間フェルール１８０ａを係止する。同様に、コネクタ本体１００の貫通孔１０２ｂ内で、リテイナ１３０ｂは、ケーブル保持部材１５０ｂを介して中間フェルール１８０ｂを係止する。また、ホルダ１４０の押圧部１４６ａは、中間フェルール１８０ａを係止する。同様に、ホルダ１４０の押圧部１４６ｂは、中間フェルール１８０ｂを係止する。
【０１０２】
このように、コネクタ本体１００の貫通孔１０２ａ内では、中間フェルール１８０ａは、２つのランス１１８ａとホルダ１４０の押圧部１４６ａとによって挟持される。また、コネクタ本体１００の貫通孔１０２ｂ内では、中間フェルール１８０ｂは、２つのランス１１８ｂとホルダ１４０の押圧部１４６ｂとによって挟持される。このようにすることで、リテイナ１３０ａをコネクタ本体１００の貫通孔１０２ａの一定の位置に保持することができる。これにより、係合凹部１８８ａが、貫通孔１０２ａの長手方向の一定の位置で係合凸部１１０ａと係合する状態を維持することができる。また、非シールド電線２０ａの長手方向に力が加えられた場合であっても、中間フェルール１８０ａがコネクタ本体１００から抜け出ることを防止できる。
【０１０３】
同様に、リテイナ１３０ｂをコネクタ本体１００の貫通孔１０２ｂの一定の位置に保持することができる。これにより、係合凹部１８８ｂが、貫通孔１０２ｂの長手方向の一定の位置で係合凸部１１０ｂと係合する状態を維持することができる。また、非シールド電線２０ｂの長手方向に力が加えられた場合であっても、中間フェルール１８０ｂがコネクタ本体１００から抜け出ることを防止できる。
【０１０４】
また、中間フェルール１８０ａの係合凹部１８８ａと、コネクタ本体１００の係合凸部１１０ａとが係合するように、中間フェルール１８０ａは、コネクタ本体１００の貫通孔１０２ａ内に配置している。同様に、中間フェルール１８０ｂの係合凹部１８８ｂと、コネクタ本体１００の係合凸部１１０ｂとが係合するように、中間フェルール１８０ｂをコネクタ本体１００の貫通孔１０２ｂ内に配置している。このようにすることで、中間フェルール１８０ａを介して非シールド電線２０ａをコネクタ本体１００を係止することができ、非シールド電線２０ａが回転することを防止できる。同様に、中間フェルール１８０ｂを介して非シールド電線２０ｂをコネクタ本体１００を係止することができ、非シールド電線２０ｂが回転することを防止できる。
【０１０５】
上述したように、非シールド電線２０ａの先端（端子２２０ａ）からの非シールド電線２０ａに沿った距離が略一定の位置に中間フェルール１８０ａを非シールド電線２０ａに取り付けることができる。すなわち、端子２２０ａと中間フェルール１８０ａは、略一定の距離だけ離隔している。中間フェルール１８０ａは、コネクタ本体１００に収納されている。端子２２０ａは、コネクタ本体１００から離隔して非シールド電線２０ａの先端に取り付けられている。したがって、端子２２０ａは、非シールド電線２０ａの可撓性によって定められる範囲内で変位させることができる。したがって、非シールド電線２０ａをある程度撓ませて、端子２２０ａを相手方に取り付けることができ、配線などの作業を容易にかつ効率よくできる。
【０１０６】
同様に、非シールド電線２０ｂの先端（端子２２０ｂ）からの非シールド電線２０ｂに沿った距離が略一定の位置に中間フェルール１８０ｂを非シールド電線２０ｂに取り付けることができる。すなわち、端子２２０ｂと中間フェルール１８０ｂとは、略一定の距離だけ離隔している。中間フェルール１８０ｂは、コネクタ本体１００に収納されている。端子２２０ｂは、コネクタ本体１００から離隔して非シールド電線２０ｂの先端に取り付けられている。したがって、端子２２０ｂは、非シールド電線２０ｂの可撓性によって定められる範囲内で変位させることができる。したがって、非シールド電線２０ｂをある程度撓ませて、端子２２０ｂを相手方に取り付けることができ、配線などの作業を容易にかつ効率よくできる。
【０１０７】
＜＜＜＜第２の実施の形態＞＞＞＞
以下では、第２の実施の形態によるシールドコネクタ１０を説明する。第２の実施の形態によるシールドコネクタ１０では、コネクタ本体３００と中間フェルール３８０ａ及び３８０ｂとが、第１の実施の形態によるシールドコネクタ１０と相違する。第２の実施の形態において、第１の実施の形態と共通する部材については、同一の符号を付して示した。
【０１０８】
＜案内用リブ３１０ａ及び３１０ｂ＞
第２の実施の形態によるシールドコネクタ１０のコネクタ本体３００の貫通孔１０２ａにも、内側壁面１１２ａが形成されている。また、第２の実施の形態によるシールドコネクタ１０のコネクタ本体３００の貫通孔１０２ｂにも、内側壁面１１２ｂが形成されている。
【０１０９】
図１０、図１１及び図１２に示すように、内側壁面１１２ａには、貫通孔１０２ａ（非シールド電線２０ａ）の長手方向に沿って長尺な形状の案内用リブ３１０ａが形成されている。内側壁面１１２ｂには、貫通孔１０２ｂ（非シールド電線２０ｂ）の長手方向に沿って長尺な形状の案内用リブ３１０ｂが形成されている。
【０１１０】
案内用リブ３１０ａは、貫通孔１０２ａ（非シールド電線２０ａ）の直径方向に沿って内側壁面１１２ａから貫通孔１０２ａ（非シールド電線２０ａ）の中心に向かって膨らむように形成されている。具体的には、案内用リブ３１０ａは、内側壁面１１２ａから貫通孔１０２ａ（非シールド電線２０ａ）の中心に向かって突出するように形成されている。案内用リブ３１０ａは、中間フェルール１８０ａの切り欠き溝３８４ａと係合する。案内用リブ３１０ａと切り欠き溝３８４ａとが係合できるようにしたことで、非シールド電線２０ａが周方向に回転する力が加えられた場合であっても、案内用リブ３１０ａによって切り欠き溝３８４ａが係止されるので、中間フェルール１８０ａがコネクタ本体１００に対して回転することを防止できる。
【０１１１】
同様に、案内用リブ３１０ｂは、貫通孔１０２ｂ（非シールド電線２０ｂ）の直径方向に沿って内側壁面１１２ｂから貫通孔１０２ｂ（非シールド電線２０ｂ）の中心に向かって膨らむように形成されている。具体的には、案内用リブ３１０ｂは、内側壁面１１２ｂから貫通孔１０２ｂ（非シールド電線２０ｂ）の中心に向かって突出するように形成されている。案内用リブ３１０ｂは、中間フェルール１８０ｂの切り欠き溝３８４ｂと係合する。案内用リブ３１０ｂと切り欠き溝３８４ｂとが係合できるようにしたことで、非シールド電線２０ｂが周方向に回転する力が加えられた場合であっても、案内用リブ３１０ｂによって切り欠き溝３８４ｂが係止されるので、中間フェルール１８０ｂがコネクタ本体１００に対して回転することを防止できる。
【０１１２】
案内用リブ３１０ａ及び３１０ｂは、非シールド電線２０ａ及び２０ｂに沿った長尺な形状を有する。したがって、貫通孔１０２ａ（非シールド電線２０ａ）の長手方向に沿って案内用リブ３１０ａが延在する。同様に、貫通孔１０２ｂ（非シールド電線２０ｂ）の長手方向に沿って案内用リブ３１０ｂが延在する。後述するように、案内用リブ３１０ａは、中間フェルール３８０ａの切り欠き溝３８４ａと係合する。案内用リブ３１０ｂは、中間フェルール３８０ｂの切り欠き溝３８４ｂと係合する。
【０１１３】
図１２に示すように、中間フェルール３８０ａを挿入する側の案内用リブ３１０ａの端部には、面取り部１１１ａが形成されている。面取り部１１１ａを形成したことにより、中間フェルール３８０ａを円滑に案内用リブ３１０ａに係合させることができる。中間フェルール３８０ｂを挿入する側の案内用リブ３１０ｂの端部には、面取り部１１１ｂが形成されている。面取り部１１１ｂを形成したことにより、中間フェルール３８０ｂを円滑に案内用リブ３１０ｂに係合させることができる。
【０１１４】
また、図１２に示すように、貫通孔１０２ａ（非シールド電線２０ａ）の長手方向に沿った案内用リブ３１０ａの長さは、貫通孔１０２ａ（非シールド電線２０ａ）の長手方向に沿った切り欠き溝３８４ａの長さよりも長くなるように形成されている。このようにしたことにより、中間フェルール１８０ａに力が加わり、中間フェルール１８０ａが変位した場合であっても、切り欠き溝３８４ａが案内用リブ３１０ａから外れることはなく、案内用リブ３１０ａと切り欠き溝３８４ａとが係合した状態を維持することができる。
【０１１５】
同様に、貫通孔１０２ｂ（非シールド電線２０ｂ）の長手方向に沿った案内用リブ３１０ｂの長さは、貫通孔１０２ｂ（非シールド電線２０ｂ）の長手方向に沿った切り欠き溝３８４ｂの長さよりも長くなるように形成されている。このようにしたことにより、中間フェルール１８０ｂに力が加わり、中間フェルール１８０ｂが変位した場合であっても、切り欠き溝３８４ｂが案内用リブ３１０ｂから外れることはなく、案内用リブ３１０ｂと切り欠き溝３８４ｂとが係合した状態を維持することができる。
【０１１６】
また、貫通孔１０２ａにおいて、案内用リブ３１０ａの高さが、電線側Ｂで最も低く、かつ、端子側Ａに向かって高くなるように、案内用リブ３１０ａを形成することが好ましい。同様に、貫通孔１０２ｂにおいて、案内用リブ３１０ｂの高さが、電線側Ｂで最も低く、かつ、端子側Ａに向かって高くなるように、案内用リブ３１０ｂを形成することが好ましい。
【０１１７】
案内用リブ３１０ａの高さは電線側Ｂにおいて最も低いので、中間フェルール３８０ａを電線側Ｂから挿入するときに、挿入しやすくでき、切り欠き溝３８４ａを案内用リブ３１０ａに係合させやすくできる。案内用リブ３１０ｂの高さも電線側Ｂにおいて最も低いので、中間フェルール３８０ｂを電線側から挿入するときに、挿入しやすくでき、切り欠き溝３８４ｂを案内用リブ３１０ｂに係合させやすくできる。
【０１１８】
案内用リブ３１０ａの高さが端子側Ａに向かって高くなるように形成されているので、貫通孔１０２ａに挿入させた中間フェルール３８０ａを端子側Ａに向かって円滑に移動させやすくできるとともに、中間フェルール３８０ａを的確に係止することができる。案内用リブ３１０ｂの高さも端子側Ａに向かって高くなるように形成されているので、貫通孔１０２ｂに挿入させた中間フェルール３８０ｂを端子側Ａに向かって円滑に移動させやすくできるとともに、中間フェルール３８０ｂを的確に係止することができる。
【０１１９】
＜＜中間フェルール３８０ａ及び３８０ｂ＞＞
図９は、第２の実施の形態によるシールドコネクタ１０の中間フェルール３８０ａ及び３８０ｂを示す斜視図である。中間フェルール３８０ａ及び３８０ｂは同一の形状を有する。中間フェルール３８０ａは非シールド電線２０ａに取り付けられ、中間フェルール３８０ｂは非シールド電線２０ｂに取り付けられる。中間フェルール３８０ａは、中間フェルール１８０ａと同様に、非シールド電線２０ａとコネクタ本体１００との間に介在して、非シールド電線２０ａをコネクタ本体１００に取り付けるための部材である。また、中間フェルール３８０ｂは、中間フェルール１８０ｂと同様に、非シールド電線２０ｂとコネクタ本体１００との間に介在して、非シールド電線２０ｂをコネクタ本体１００に取り付けるための部材である。
【０１２０】
図９に示すように、中間フェルール３８０ａには、切り欠き溝３８４ａが形成されている。切り欠き溝３８４ａは、コネクタ本体１００の貫通孔１０２ａの内側壁面１１２ａに形成されている案内用リブ３１０ａに沿うように長尺な形状に形成されている。非シールド電線２０ａに取り付けられた中間フェルール３８０ａをコネクタ本体１００の貫通孔１０２ａに挿通させたときには、中間フェルール３８０ａの切り欠き溝３８４ａが、コネクタ本体１００の案内用リブ３１０ａと係合するように、非シールド電線２０ａをコネクタ本体１００に取り付けることができる。切り欠き溝３８４ａが案内用リブ３１０ａと係合することによって、中間フェルール３８０ａを介して非シールド電線２０ａをコネクタ本体１００を係止することができ、非シールド電線２０ａが回転することを防止できる。
【０１２１】
中間フェルール３８０ｂにも、同様に、切り欠き溝３８４ｂが形成されている。切り欠き溝３８４ｂは、コネクタ本体１００の貫通孔１０２ｂの内側壁面１１２ｂに形成されている案内用リブ３１０ｂに沿うように長尺な形状に形成されている。切り欠き溝３８４ｂが案内用リブ３１０ｂと係合することによって、中間フェルール３８０ｂを介して非シールド電線２０ｂをコネクタ本体１００を係止することができ、非シールド電線２０ｂが回転することを防止できる。
【０１２２】
上述したように、切り欠き溝３８４ａがコネクタ本体１００の案内用リブ３１０ａと係合する。このため、非シールド電線２０ａがコネクタ本体１００に対して回転しないように、非シールド電線２０ａをコネクタ本体１００に取り付けることができる。同様に、切り欠き溝３８４ｂがコネクタ本体１００の案内用リブ３１０ｂと係合する。このため、非シールド電線２０ｂがコネクタ本体１００に対して回転しないように、非シールド電線２０ｂをコネクタ本体１００に取り付けることができる。
【０１２３】
特に、切り欠き溝３８４ａ及び案内用リブ３１０ａは、ともに長尺な形状を有し、切り欠き溝３８４ａと案内用リブ３１０ａとの双方が長手方向に沿って係合させることができる。このため、互いに係合し合う面積を大きくでき、非シールド電線２０ａを介してコネクタ本体１００に力が加えられた場合でも、加えられた力に対して対抗することができる。したがって、コネクタ本体１００に加えられた力によって、切り欠き溝３８４ａと案内用リブ３１０ａとの係止状態が解除されたり、コネクタ本体１００が破損したりすることを防止できる。
【符号の説明】
【０１２４】
１０  シールドコネクタ
２０ａ、２０ｂ  非シールド電線
１００  コネクタ本体
１１０ａ、１１０ｂ  係合凸部（係合部）
１３０ａ、１３０ｂ  リテイナ
１４０  ホルダ
１５０ａ、１５０ｂ  ケーブル保持部材
１６０  コネクタ封止部材
１８０ａ、１８０ｂ  中間フェルール
１８８ａ、１８８ｂ  係合凹部（被係合部）
２００  シールド部材
２２０  端子
３８４ａ、３８４ｂ  切り欠き溝（被係合部）
３１０ａ、３１０ｂ  案内用リブ（係合部）
３８０ａ、３８０ｂ  中間フェルール
【図１】
0005636007.tif 000002
【図２】
0005636007.tif 000003
【図３】
0005636007.tif 000004
【図４】
0005636007.tif 000005
【図５】
0005636007.tif 000006
【図６】
0005636007.tif 000007
【図７】
0005636007.tif 000008
【図８】
0005636007.tif 000009
【図９】
0005636007.tif 000010
【図１０】
0005636007.tif 000011
【図１１】
0005636007.tif 000012
【図１２】
0005636007.tif 000013